(57)【要約】【課題】クランプ用スペースを小さくでき、クランプ解除が容易なワイヤハーネス固定具、ワイヤハーネスの固定方法およびプロジェクターを提供すること。【解決手段】線材を同一面上に配置したクランプ部７７と、このクランプ部７７の両端部に設けられ、近づく方向に付勢力を有し、クランプ面４１に対して交差する方向に形成された係止面４２に係止される一対の係止部７１、７２とを備えている。複数本の電線を有する可撓性のワイヤハーネス８１〜８３が、クランプ部７７によりクランプ面４１に押圧され、係止部７１、７２が係止面４２に係止されることによって、ワイヤハーネス８１〜８３がクランプ面４１にクランプされる。これにより、クランプ面４１上のクランプ用スペースが小さくなるとともに、ワイヤハーネス固定具７０の取り付けおよびクランプ解除が容易になる。【選択図】図２
2008072885.tif 000002
【特許請求の範囲】
【請求項１】
線材が同一面上に配置されたクランプ部と、
前記クランプ部の両端部に設けられ、近づく方向に付勢力を有し、クランプ面に対して交差する方向に形成された係止面に係止される一対の係止部とを備え、
複数本の電線を有する可撓性のワイヤハーネスが、前記クランプ部により前記クランプ面に押圧され、前記係止部が前記係止面に係止されることによって、前記ワイヤハーネスを前記クランプ面にクランプすることを特徴とするワイヤハーネス固定具。
【請求項２】
前記クランプ部は、弾性を有する鋼棒材を平面上に曲げ加工して形成されたことを特徴とする請求項１に記載のワイヤハーネス固定具。
【請求項３】
前記クランプ面と前記係止面とは、直交していることを特徴とする請求項２に記載のワイヤハーネス固定具。
【請求項４】
ワイヤハーネスをクランプ面上の所定位置に引き回す行程と、
ワイヤハーネス固定具のクランプ部を、前記クランプ面の一辺側よりスライドさせながら、前記ワイヤハーネスを、前記クランプ部によって前記クランプ面に押し付ける行程と、
この状態で、前記ワイヤハーネス固定具の係止部を、前記クランプ面に直交する係止面に係止し、前記ワイヤハーネスを前記クランプ面にクランプする行程と、
を含む
ことを特徴とするワイヤハーネスの固定方法。
【請求項５】
投射レンズおよび反射ミラーを有する光学系ユニットと、前記光学系ユニットの光源となるランプユニットと、前記ランプユニットに電力を供給する電源ボックスと、前記電源ボックスに電気的に接続されるワイヤハーネスと、前記ランプユニットに送風して冷却を行なう冷却ユニットとを備え、
弾性を有する鋼棒材を平面上に曲げ加工してなるクランプ部と、前記クランプ部の両端部に設けられ、近づく方向に付勢力を有する一対の係止部とからなるワイヤハーネス固定具を備え、前記ワイヤハーネスを前記クランプ部によって前記電源ボックスの平面状のクランプ面に押圧し、前記係止部が、前記クランプ面に直交する前記電源ボックスの係止面に係止され、前記ワイヤハーネスが前記電源ボックスにクランプされたことを特徴とするプロジェクター。
【発明の詳細な説明】
【技術分野】
【０００１】
本発明は、複数の電線を帯状に束ねたワイヤハーネスを固定するワイヤハーネス固定具、ワイヤハーネスの固定方法およびプロジェクターに関する。
【背景技術】
【０００２】
従来より、複数の電線を帯状に束ねたワイヤハーネスが、プロジェクターの内部に引き回されて、電力供給線や複数の電気的信号を伝達する信号線として用いられている。プロジェクター内に引き回されたワイヤハーネスは、プロジェクター内部の他の部品と物理的に干渉することを避けるため、プロジェクターの構成部品の一部に固定される。
【０００３】
ワイヤハーネスを、プロジェクターの電源ボックスにクランプする固定具として、プロジェクターの構成部品に固定されるクランプ部と、このクランプ部の上方において、ワイヤハーネスを保持する保持部と、この保持部に対して開閉可能な開閉部とを有し、保持部と開閉部との間にワイヤハーネスを挟み込み、クランプするものがある（例えば、特許文献１を参照）。
【０００４】
また、他の固定具として、ワイヤハーネスの端部が挿入され、挿入された端部を押圧する抜け止め片が設けられるとともに、固定具をワイヤハーネスの長さ方向について基板に垂直に挿入して係止するものがある（例えば、特許文献２を参照）。
【特許文献１】特開２００３−７９０３５号公報
【特許文献２】特開平０９−２７３６１号公報
【発明の開示】
【発明が解決しようとする課題】
【０００５】
しかしながら、特許文献１に記載された固定具は、ワイヤハーネスを固定する場合に、保持部および開閉部がクランプ部の上方、つまりプロジェクター構成部品のクランプ面上に固定されるので、ワイヤハーネスをクランプする際、当該構成部品上にクランプ用のスペースが必要となり、プロジェクター内における構成部品のレイアウトの自由度が制約されるという事情がある。
また、ワイヤハーネスのクランプ部が、プロジェクター構成部品のクランプ面上に固定され、このクランプ部は、隣接する構成部品間に位置することになるため、クランプ面上からのアクセスが困難で、クランプの解除が難しいという事情がある。
【０００６】
また、特許文献２に記載された固定具の場合でも、固定具は、プロジェクター構成部品のクランプ面上に固定されるので、構成部品上にクランプ用のスペースが要求され、構成部品のレイアウトの自由度が制約され、プロジェクターの大型化を招き、クランプの解除が困難であるという事情がある。
【０００７】
本発明の技術的課題は、前記のような事情に鑑みてなされたものであり、その目的は、クランプ用スペースを小さくでき、クランプ解除が容易なワイヤハーネス固定具、ワイヤハーネスの固定方法およびプロジェクターを提供することにある。
【課題を解決するための手段】
【０００８】
前記目的を達成するため、本発明のワイヤハーネス固定具は、線材が同一面上に配置されたクランプ部と、前記クランプ部の両端部に設けられ、近づく方向に付勢力を有し、クランプ面に対して交差する方向に形成された係止面に係止される一対の係止部とを備えている。複数本の電線を有する可撓性のワイヤハーネスが、前記クランプ部により前記クランプ面に押圧され、前記係止部が前記係止面に係止されることによって、前記ワイヤハーネスが前記クランプ面にクランプされる。
【０００９】
この構成により、クランプ面上のクランプ用スペースを小さくすることができ、クランプ解除をする際は、係止面側、即ちクランプ面に対して横方向からのアクセスが可能となり、クランプ解除が容易になる。
【００１０】
本発明のワイヤハーネスの固定方法は、ワイヤハーネスをクランプ面上の所定位置に引き回す行程と、ワイヤハーネス固定具のクランプ部を、前記クランプ面の一辺側よりスライドさせながら、前記ワイヤハーネスを、前記クランプ部によって前記クランプ面に押し付ける行程とを含む。前記ワイヤハーネスを、前記クランプ部によって前記クランプ面に押し付けた状態で、前記ワイヤハーネス固定具の係止部を、前記クランプ面に直交する係止面に係止し、前記ワイヤハーネスを前記クランプ面にクランプする。
【００１１】
これにより、クランプ面上のクランプ用スペースが小さくなるとともに、ワイヤハーネス固定具の取り付けおよびクランプ解除が容易になる。
【００１２】
本発明のプロジェクターは、投射レンズおよび反射ミラーを有する光学系ユニットと、前記光学系ユニットの光源となるランプユニットと、前記ランプユニットに電力を供給する電源ボックスと、前記電源ボックスに電気的に接続されるワイヤハーネスと、前記ランプユニットに送風して冷却を行なう冷却ユニットとを備えている。
【００１３】
さらに、弾性を有する鋼棒材を平面上に曲げ加工してなるクランプ部と、前記クランプ部の両端部に設けられ、近づく方向に付勢力を有する一対の係止部とからなるワイヤハーネス固定具を備える。
【００１４】
前記ワイヤハーネスを前記クランプ部によって前記電源ボックスのクランプ面に押圧し、前記係止部が、前記クランプ面に直交する前記電源ボックスの係止面に係止されることにより、前記ワイヤハーネスが前記電源ボックスにクランプされた。
これにより、クランプ面上のクランプ用スペースが小さく、クランプ解除が容易なプロジェクターが得られる。
【発明の効果】
【００１５】
本発明によれば、クランプ面上の取り付けスペースが狭い場合であっても、ワイヤハーネス固定具を、ワイヤハーネス上に容易に取り付けることができる。
また、ワイヤハーネス固定具を取り外す場合は、クランプ面上のスペースが狭い場合であっても、係止部を外側に引っ張るだけで簡単に係止が外れる。
従って、クランプ面上のクランプ用スペースを小さくできるとともに、ワイヤハーネス固定具の取り付けおよびクランプ解除を容易に行うことができる。
【発明を実施するための最良の形態】
【００１６】
以下、本発明の実施の形態を図面に基づいて詳細に説明する。
図１は、本発明の一実施の形態であるワイヤハーネス固定具取付け時のプロジェクターの要部斜視図である。
【００１７】
図１において、プロジェクター１００は、ケーシング１を有し、このケーシング１の内部に、カラー映像光を生成するための光学系ユニット１０（図６参照）と、光学系ユニット１０の光源となるランプユニット２０と、ランプユニット２０などに電力を供給する電源ボックス４０と、光学系ユニット１０、ランプユニット２０および電源ボックス４０に送風して冷却を行なうシロッコファン３１と、光学系ユニット１０、ランプユニット２０および電源ボックス４０からの温風を排出する軸流ファン３２と、空気流の通路となるダクト５０とが内蔵されている。
【００１８】
ケーシング１の前面部には、カラー映像光を投射する投射窓２が開設され、この投射窓２の両側には、ランプユニット２０などから排出される温風の排気口３が開設され、投射窓２には、投射レンズ１１が装着されている。
光学系ユニット１０は、ランプユニット２０からの白色光を、カラー映像光に変換し、投射レンズ１１を経て前方のスクリーンに拡大投射するものである。
【００１９】
ケーシング１の底面の光学系ユニット１０の設置領域には、配線板６０が装着され、この配線板６０と電源ボックス４０とは、可撓性のワイヤハーネス８１、８２、８３によって電気的に接続されている。これらワイヤハーネス８１、８２、８３は、電力供給や信号送信をする複数の電線を平面上に束ねたもので可撓性を有している。
【００２０】
電源ボックス４０は、図２に示すように、薄型の直方体に形成され、クランプ面４１およびこのクランプ面４１に直交する係止面４２を有している。クランプ面４１の所定位置にワイヤハーネス８１、８２、８３が引き回され、この状態でワイヤハーネス８１、８２、８３は、ワイヤハーネス固定具７０によってクランプされている。
【００２１】
ワイヤハーネス固定具７０は、図３に示すように、クランプ部７７と、クランプ部７７の両端部に形成された係止部７１、７２からなっている。クランプ部７７は、弾性を有する鋼棒材を平面上にじぐざぐ状に屈曲加工したものであり、部位７３〜７６において、所定角度に曲げ加工されている。また、一対の係止部７１、７２は、近づく方向に付勢力を有している。
【００２２】
ワイヤハーネス８１、８２、８３は、クランプ部７７によって、電源ボックス４０のクランプ面４１に押し付けられ、これによって、ワイヤハーネス８１、８２、８３の引き回し位置が固定されている。また、一対の係止部７１、７２は、係止面４２の係止溝４３に係止されている。
【００２３】
次に、ワイヤハーネス８１、８２、８３の固定方法を述べる。
先ず、ワイヤハーネス８１、８２、８３をクランプ面４１上の所定位置に引き回した（図４、５参照）後、ワイヤハーネス固定具７０のクランプ部７７を、クランプ面４１の上辺側よりスライドさせながら、ワイヤハーネス８１、８２、８３を、クランプ部７７によってクランプ面４１に押し付ける（図２参照）。
【００２４】
その後、この状態で、ワイヤハーネス固定具７０の係止部７１、７２を、クランプ面４１に直交する係止面４２に係止し、ワイヤハーネス８１、８２、８３をクランプ面４１にクランプした（図１参照）後、光学系ユニット１０を設置する（図６参照）。
【００２５】
このように、本実施の形態では、ワイヤハーネス固定具７０のクランプ部７７は、そのクランプ可能領域の大きさや形状が、ワイヤハーネス８１、８２、８３の形状、数および引き回しの形態に応じて、鋼棒材を折り曲げるだけの簡便な作業によって適宜変更可能であり、様々な形態のワイヤハーネス固定具７０が得られ、汎用性が高い。
【００２６】
また、ワイヤハーネス固定具７０の取り付け時は、クランプ面４１の一辺側よりクランプ面４１上をスライドさせるようにして、ワイヤハーネス８１、８２、８３上に設置可能であり、しかも係止部７１、７２は、クランプ面４１に対して直交する方向から係止面４２に係止されるので、クランプ面４１上の取り付けスペースが狭い場合であっても、ワイヤハーネス固定具７０を、ワイヤハーネス８１、８２、８３上に容易に設置できる。
【００２７】
また、ワイヤハーネス固定具７０を取り外す場合は、クランプ面４１上のスペースが狭い場合であっても、係止部７１、７２を外側に引っ張るだけで簡単に係止が外れ、ワイヤハーネス固定具７０を容易に取り外すことができる。よって、メンテナンスの作業性も向上する。
【図面の簡単な説明】
【００２８】
【図１】本発明の一実施の形態に係るワイヤハーネス固定具取付け時のプロジェクターの要部斜視図である。
【図２】図１に示すプロジェクターにおいて、ワイヤハーネスをワイヤハーネス固定具によって電源ボックスにクランプした際の斜視図である。
【図３】ワイヤハーネス固定具の斜視図である。
【図４】電源ブロックの斜視図である。
【図５】ワイヤハーネスを電源ブロックに引き回した状態を示す斜視図である。
【図６】本発明の一実施の形態に係るプロジェクターの要部斜視図である。
【符号の説明】
【００２９】
１０…光学系ユニット、２０…ランプユニット、３１…送風ファン、３2…排出ファン、４０…電源ボックス、４１…クランプ面、４２…係止面、４３…係止溝、５０…ダクト、６０…配線板、７０…ワイヤハーネス固定具、７１、７２…係止片、７３〜７６…屈曲部、７７…クランプ部、８１〜８３…ワイヤハーネス、１００…プロジェクター
【図１】
2008072885.tif 000003
【図２】
2008072885.tif 000004
【図３】
2008072885.tif 000005
【図４】
2008072885.tif 000006
【図５】
2008072885.tif 000007
【図６】
2008072885.tif 000008